(57)【要約】【課題】複数の利用サービスの認証情報を統合し、統合されたサービス識別子とパスワードを用いて複数のサービスを享受できる統合認証情報作成システムを提供することにある。【解決手段】統合サービス識別子サーバ３０は、利用者毎の情報を格納する顧客情報管理ＤＢ５０と、利用可能なサービスとその認証情報を格納している契約情報管理ＤＢ５１を持っており、利用者端末１０から統合する認証情報を受信した場合に、受信した情報が契約情報管理ＤＢ５１に登録されている情報か確認し、登録してある場合、顧客情報管理ＤＢ５０より利用者のユニークな情報を抽出し、統合サービス識別子の上位桁７１２として利用者端末１０に通知させ、統合サービス識別子の下位桁７１３を受信後、統合サービス識別子として利用者端末に通知し、その通知した統合サービス識別子にて複数のサービスを利用可能とする。【選択図】図１
2007310606.tif 000002
【特許請求の範囲】
【請求項１】
ネットワークを介して情報提供サービスを行うシステムであって、利用者に提供する１
つあるいは複数の該情報提供サービスに１つのサービス識別子を付与するシステムであっ
て、該利用者が複数のサービス識別子を１つの統合サービス識別子で使用できるサービス提供システム。
【請求項２】
請求項１において、該統合サービス識別子の付与に関し、利用者のユニークな情報を該
統合識別子の一部として使用し、該利用者自身が独自に識別子の一部を設定することを可
能としたサービス提供システム。
【発明の詳細な説明】
【技術分野】
【０００１】
本発明は、ネットワークを介した情報提供システムに関する。
【背景技術】
【０００２】
特開２００３−１３２０２２号で提案されている発明では、利用者の持つ複数の認証情
報（ＩＤ(サービス識別子)、パスワード）を予め利用者情報データベース、利用サービス
認証変換データベースに登録することで、利用者が持つ一つの認証情報からそれぞれのサ
ービスを認証し、サービスを提供することができる。
【０００３】
【特許文献１】特開２００３−１３２０２２号公報
【発明の開示】
【発明が解決しようとする課題】
【０００４】
しかし、従来の技術では利用する各々のサービスのいずれかの認証情報を必要とするた
め、認証情報が複数個に及ぶ場合その利用が困難である。また、認証情報自体は、サービ
ス提供者から通知されているものを利用するため、利用者が容易に暗記することが困難で
ある。
【課題を解決するための手段】
【０００５】
上記の目的を達成するために、本発明は、以下のように構成したことを特徴とする。
【０００６】
本発明は、利用者が持つ複数の認証情報を一つに統合させ、且つ利用者のユニークな情
報、および利用者自身が設定した情報から構成される統合サービス識別子を使用すること
により、サービスの利用手段を容易にさせることにある。また、各々の認証情報を統合サ
ービス識別子への追加、削除することが利用者の視点から容易に行なえる柔軟性を持って
いる。
【発明の効果】
【０００７】
本発明のサービス提供システムでは次の効果が得られる。
【０００８】
複数の認証情報を統合し、統合サービス識別子を発行することで、個々のサービス識別
子の使い分けが必要ない。
【０００９】
統合サービス識別子の上位桁は、利用者のユニークな英数字で構成される。
【００１０】
統合サービス識別子の下位桁は、利用者が任意に指定できる英数字で構成される。
【００１１】
統合サービス識別子への追加や削除が情報入出力部３１から利用者の意思をもって容易
に、且つ柔軟に行える。
【００１２】
各サービスが発行する個々のサービス識別子、および統合サービス識別子での問い合わ
せが可能である。
【発明を実施するための最良の形態】
【００１３】
以下、本発明を実施するための最良の形態を図面に基づいて説明する。
【００１４】
図１は本発明の全体構成図である。
【００１５】
利用者端末１０からネットワーク２０を介し統合サービス識別子サーバ３０へ接続し、
利用者が持つ複数の認証情報の入力により、統合サービス識別子を作成することができる
。
【００１６】
利用者端末１０からネットワーク２０を介して、サービス提供者が発行した、利用者が
持つ複数の認証情報をサービス提供者側の統合サービス識別子サーバ３０により統合し、
一つの統合サービス識別子を発行することを特徴とした統合サービス識別子作成方式であ
る。
【００１７】
統合サービス識別子サーバ３０は、利用者端末１０からの情報入力、および利用者端末
１０への表示を制御する情報入出力部３１と、利用者より入力された情報が、契約済の利
用者の認証情報であるかを認証する顧客情報認証部３２と、統合サービス識別子を発行す
る統合サービス識別子発行部３３と、統合サービス識別子が入力された場合に、正規に発
行済の統合サービス識別子であるかを認証する統合サービス識別子認証部３４と、それぞ
れを制御する統合サービス識別子制御部３５から構成され、これらを持って統合サービス
識別子の発行を行なうことを特徴としている。
【００１８】
また、利用者の情報を格納する顧客情報管理ＤＢ５０と、利用者の契約情報を格納する
契約情報管理ＤＢ５１と、利用者の統合サービス識別子を格納する統合サービス識別子管
理ＤＢ５２を有することを特徴としている。
【００１９】
顧客情報管理ＤＢ５０は、利用者毎の住所、ＴＥＬ、企業名、および利用可能サービス
の認証情報などを格納している。
【００２０】
契約情報管理ＤＢ５１は、利用者毎に利用可能なサービスとその認証情報を格納してい
る。
【００２１】
統合サービス識別子管理ＤＢ５２は、利用者毎に利用可能な統合サービス識別子、パス
ワード、および統合サービス識別子で利用できるサービス情報を格納している。
【００２２】
統合サービス識別子サーバ３０より統合サービス識別子の一部として発行される上位桁
７１２は、利用者のユニークな情報で構成されており、利用者自身が記憶しやすく、利用
しやすいことを特徴としている。
【００２３】
統合サービス識別子の一部である下位桁７１３は、利用者自身が任意で設定でき、利用
者自身が記憶しやすく、利用しやすいことを特徴としている。
【００２４】
統合サービス識別子は、利用者のユニークな情報の上位桁７１２と、利用者自身が設定
する下位桁７１３から構成されており、利用者自身が記憶しやすく、利用しやすいことを
特徴としている。
【００２５】
利用者が持つ複数の認証情報を、利用者自身が選択し統合サービス識別子として登録、
および削除することがきることを特徴としている。
【００２６】
利用者が持つ統合サービス識別子を使用することで登録してある個々の認証情報を有す
るサービスを利用することができることを特徴としている。
【００２７】
図２は統合サービス識別子の新規発行時のフローチャートである。
【００２８】
利用者端末１０からネットワーク２０を介し統合サービス識別子サーバ３０へ接続する
。
【００２９】
利用者端末１０から統合サービス識別子サーバ３０の情報入出力部３１を介し、統合す
る各サービスのサービス識別子１１１／パスワード１１１などの認証情報が入力される。
【００３０】
利用者端末１０から入力された各サービスの認証情報は、顧客情報認証部３２により顧
客情報管理ＤＢ５０および契約情報管理ＤＢ５１から、利用者が利用可能なサービスの認
証情報であるか確認する(図２のステップ１００，１０１)。
【００３１】
入力された利用者の認証情報が顧客情報管理ＤＢ５０および契約情報管理ＤＢ５１の情
報と不一致の場合は、利用者端末１０へ認証結果を通知する(図２のステップ１０２，１
０３)。
【００３２】
入力された認証情報が顧客情報管理ＤＢ５０、および契約情報管理ＤＢ５１の情報と一
致の場合は、認証結果を利用者端末１０に通知し、顧客管理情報ＤＢ５０より統合サービ
ス識別子の上位桁７１２に該当する情報を抽出する(図２のステップ１０４，１０５)。
【００３３】
統合サービス識別子発行部３３より統合サービス識別子の上位桁７１２を利用者端末１
０へ通知する(図２のステップ１０６)。
【００３４】
利用者端末１０へ通知された統合サービス識別子の上位桁７１２に任意の下位桁７１３
を付与し、情報入出力部３１を介して入力される(図２のステップ１０７)。
【００３５】
入力された情報は統合サービス識別子認証部３４により、統合サービス識別子管理ＤＢ
５２に同一の情報がないかを確認し、問題なければ利用者端末１０に認証結果を通知する
。既に登録済である場合は、利用者端末１０に登録エラーであることを通知する(図２の
ステップ１０８，１０９，１１０)
利用者端末１０にはパスワードの設定画面が表示され、情報入出力部３１を介してパス
ワード７１４を入力される(図２のステップ１１１)。
【００３６】
統合サービス識別子管理ＤＢ５２に統合サービス識別子７１１として、統合サービス識
別子上位桁７１２、統合サービス識別子下位桁７１３、パスワード７１４を登録する(図
２のステップ１１２)。
【００３７】
利用者端末１０に統合サービス識別子７１１とパスワード１１１を表示する(図２のス
テップ１１３)。
【００３８】
図３は利用者がもつ各サービスの認証情報を統合サービス識別子へ追加する場合のフロ
ーチャートである。
【００３９】
利用者端末１０からネットワーク２０を介し統合サービス識別子サーバ３０へ接続する
。
【００４０】
利用者端末１０から統合サービス識別子サーバ３０の情報入出力部３１を介し、既に発
行済の統合サービス識別子７１１が入力される(図３のステップ２００)。
【００４１】
入力された統合サービス識別子７１１は、統合サービス識別子認証部３４により統合サ
ービス識別子管理ＤＢ５２から登録済の統合サービス識別子７１１であるか確認する。登
録にない統合サービス識別子が入力された場合は、利用者端末１０へ認証エラーであるこ
とを通知する(図３のステップ２０１，２０２，２０３)
入力された統合サービス識別子７１１が統合サービス識別子管理ＤＢ５２へ登録済の情
報である場合は情報入出力部３１を介し、統合サービス識別子７１１に追加するサービス
の認証情報が入力される(図３のステップ２０４)。
【００４２】
入力されたサービスの認証情報は、顧客情報確認部３０により顧客情報管理ＤＢ５０お
よび契約情報管理ＤＢ５１から契約済のサービスの認証情報であるか確認する(図３のス
テップ２０５，２０６)。
【００４３】
入力されたサービスの認証Ｄ情報が顧客情報管理ＤＢ５０および契約情報管理ＤＢ５１
の情報と不一致の場合は、利用者端末１０へ認証エラーであることを通知する(図３のス
テップ２０７)。
【００４４】
入力されたサービスの認証情報が顧客情報管理ＤＢ５０および契約情報管理ＤＢ５１の
情報と一致の場合は、利用者端末１０へ統合サービス識別子７１１に追加されたことを通
知し、契約情報管理ＤＢ５１、および統合サービス識別子管理ＤＢ５２に登録(更新)する
(図３のステップ２０８，２０９)。
【００４５】
図４は利用者がもつ統合サービス識別子にて利用できる各のサービス認証情報を、統合
サービス識別子から削除する場合のフローチャートである。
【００４６】
利用者端末１０からネットワーク２０を介し統合サービス識別子サーバ３０へ接続する
。
【００４７】
利用者端末１０から統合サービス識別子サーバ３０の情報入出力部３１を介し、既に発
行済の統合サービス識別子７１１が入力される(図４のステップ３００)。
【００４８】
入力された統合サービス識別子７１１は、統合サービス識別子認証部３４により統合サ
ービス識別子管理ＤＢ５２から登録済の統合サービス識別子７１１であるか確認する。登
録にない統合サービス識別子が入力された場合は、利用者端末１０へ認証エラーであるこ
とを通知する(図４のステップ３０１，３０２，３０３)。
【００４９】
入力された統合サービス識別子７１１が問題ない場合は情報入出力部３１を介し、統合
サービス識別子７１１から削除するサービスの認証情報が入力される(図４のステップ３
０４)。
【００５０】
入力されたサービスの認証情報は、顧客情報確認部３０により顧客情報管理ＤＢ５０お
よび契約情報管理ＤＢ５１から契約済のサービスの認証情報であるか確認する(図４のス
テップ３０５，３０６)。
【００５１】
入力されたサービスの認証情報が顧客情報管理ＤＢ５０および契約情報管理ＤＢ５１の
情報と不一致の場合は、利用者端末１０へ認証エラーであることを通知する(図４のステ
ップ３０７)。
【００５２】
入力されたサービス識別子情報が顧客情報管理ＤＢ５０および契約情報管理ＤＢ５１の
情報と一致の場合は、統合サービス識別子から削除されたことを通知し、契約情報管理Ｄ
Ｂ５１、および統合サービス識別子管理ＤＢ５２に登録(更新)する(図４のステップ３０
８，３０９)。
【００５３】
図５は統合サービス識別子７１１、もしくは個々のサービスのサービス識別子利用時で
のオペレーションフローである。
【００５４】
利用者は利用したいサービスの認証情報、もしくは統合サービス識別子７１１を告知す
ることによりサービスを受ける(図５のステップ４００)。
【００５５】
サービス提供者は問い合わせを受け付けた時に、利用者の持つ個々のサービスの認証情
報、もしくは統合サービス識別子７１１かを確認する(図５のステップ４０１，４０２)。
【００５６】
個々のサービスの認証情報の場合、契約情報管理ＤＢ５１より認証情報の認証を行い、
利用者が契約済のサービスの認証情報で問題ない場合はサービスを提供する(図５のステ
ップ４０４，４０６)。
【００５７】
統合サービス識別子７１１の場合、統合サービス識別子管理ＤＢ５２より統合サービス
識別子７１１の認証を行い、統合サービス識別子７１１の認証に問題ない場合はサービス
提供する(図５のステップ４０３，４０５)。
【００５８】
各サービス識別子の認証に問題がある場合は、各サービス識別子の再確認を行う。
【００５９】
図６は顧客情報管理ＤＢ５０に格納されるデータテーブルの概要図である。
【００６０】
サービス提供者が提供するサービスを利用者が契約した場合に、各々のサービスについ
て利用者の情報を格納するＤＢであり、利用者単位に、利用者１（５１０）、住所１（５
１１）、ＴＥＬ１（５１２）、企業名１（５１３）、サービス識別子１１１（５１４）な
どを有する。
【００６１】
図７は契約情報管理ＤＢ５１に格納されるデータテーブルの概要図である。
【００６２】
利用者単位に、利用者１（６１０）、サービス識別子１１１（６１１）、およびパスワ
ード１１１（６１２）、サービス１１（６１３）等を有する。１人の利用者が複数のサー
ビスを契約することができる。
【００６３】
図８は統合サービス識別子管理ＤＢ５２に格納されるデータテーブルの概要図である。
【００６４】
利用者がサービスを統合した単位に、統合サービス識別子を付与し、その利用者１（７
１０）や統合サービス識別子１ａ１/パスワード１ａ１（７１１）、統合サービス識別子
の上位桁７１２、下位桁７１３、パスワード７１４、および統合している個々のサービス
１１（７１５）〜サービス１ｎ（７１６）等の情報を有する。
【００６５】
図９は統合サービス識別子作成時の表示画面のイメージ図である。
【００６６】
画面上部９００には、利用者が契約済のサービス１１〜１ｎのサービス識別子１１１〜
１ｎ１、およびパスワード１１１〜パスワード１ｎ１の一覧が表示される。
【００６７】
画面下部の左側９０１には、利用者が作成した統合サービス識別子１ａ１が表示される
。
【００６８】
画面下部の右側９０２には、統合サービス識別子１ａ１で利用できるサービス１１〜１
３とそのサービス識別子１１１〜１３１とパスワード１１１〜１３１が表示される。
【００６９】
図１０は統合サービス識別子への追加時の表示画面のイメージ図である。
【００７０】
画面上部９２０には、利用者が契約済のサービス１１〜１ｎのサービス識別子１１１〜
１ｎ１、およびパスワード１１１〜パスワード１ｎ１の一覧が表示される。
【００７１】
画面中部の左側９２１には、追加を行なう統合サービス識別子が表示される。
【００７２】
画面中部の右側９２３には、追加するサービス識別子１１１〜１ｎ１を入力するフォー
ムが表示される。
【００７３】
画面下部の左側９２２には、利用者が作成した統合サービス識別子１ａ１が表示される
。
【００７４】
画面下部へ右側９２４には、統合サービス識別子１ａ１で利用できるサービス１１〜１
３とそのサービス識別子１１１〜１３１とパスワード１１１〜１３１が表示される。
【００７５】
図１１は統合サービス識別子から削除時の表示画面のイメージ図である。
【００７６】
画面上部９４０には、利用者が契約済のサービス１１〜１ｎのサービス識別子１１１〜
１ｎ１、およびパスワード１１１〜パスワード１ｎ１の一覧が表示される。
【００７７】
画面中部の左側９４１には、削除を行なう統合サービス識別子が表示される。
【００７８】
画面中部の右側９４３には、削除するサービス識別子１１１〜１ｎ１を入力するフォー
ムが表示される。
【００７９】
画面下部の左側９４２には、利用者が作成した統合サービス識別子１ａ１が表示される
。
【００８０】
画面下部へ右側９４４には、統合サービス識別子１ａ１で利用できるサービス１１〜１
３とそのサービス識別子１１１〜１３１とパスワード１１１〜１３１が表示される。
【図面の簡単な説明】
【００８１】
【図１】全体構成を示した図である。
【図２】統合サービス識別子の新規発行手順を示すフローチャートである。
【図３】統合サービス識別子で利用できる各サービスのサービス識別子を新たに追加する場合のフローチャートである。
【図４】統合サービス識別子で利用できる各サービスのサービス識別子を削除する場合のフローチャートである。
【図５】統合サービス識別子、および各サービスのサービス識別子を使用した場合のサービス利用時のオペレーションフローチャートである。
【図６】顧客情報管理ＤＢのデータテーブルの概要図である。
【図７】契約情報管理ＤＢのデータテーブルの概要図である。
【図８】統合サービス識別子管理ＤＢのデータテーブルの概要図である。
【図９】統合サービス識別子作成時の表示画面イメージ図である。
【図１０】統合サービス識別子への追加時の表示画面イメージ図である。
【図１１】統合サービス識別子から削除時の表示画面イメージ図である。
【符号の説明】
【００８２】
１０…利用者端末、１１，３６…表示装置、１２，３７…入力装置、１３，３８…記憶
装置、１４，３９…ＣＰＵ、１５，４０…メモリ、１６，４１…通信装置、２０…ネット
ワーク、３０…統合サービス識別子サーバ、３１…顧客情報制御部、３２…情報入出力部
、３３…統合サービス識別子発行部、３４…統合サービス識別子認証部、３５…統合サー
ビス識別子制御部、５０…顧客情報管理ＤＢ、５１…契約情報管理ＤＢ、５２…統合サー
ビス識別子管理ＤＢ。
【図１】
2007310606.tif 000003
【図２】
2007310606.tif 000004
【図３】
2007310606.tif 000005
【図４】
2007310606.tif 000006
【図５】
2007310606.tif 000007
【図６】
2007310606.tif 000008
【図７】
2007310606.tif 000009
【図８】
2007310606.tif 000010
【図９】
2007310606.tif 000011
【図１０】
2007310606.tif 000012
【図１１】
2007310606.tif 000013